(57)【要約】【課題】油煙を高温で気化して、油煙の量を抑えることができるとともに、適宜な高温になると安全装置が働き換気扇に影響を与えずどのような機種の換気扇とも組み合わせて使用することができ、車、オートバイ、もしくは工場でも使用することができる油煙浄化装置を提供する。【解決手段】換気扇の外部に設けられる排出管の内部に設けられ、排出管の内部に少なくとも１組以上の電熱装置を設けてなり、換気扇が排出する油煙が電熱装置を通過すると、瞬間的に燃焼、気化されて汚染を少なくすることができる。【選択図】図１
0003121207.tif 000002
【実用新案登録請求の範囲】
【請求項１】
換気扇の外部に設けられる排出管の内部に設けられ、排出管の内部に少なくとも１組以上の電熱装置を設けてなり、換気扇が排出する油煙が電熱装置を通過すると、瞬間的に燃焼、気化されて汚染を少なくすることができる構造からなることを特徴とする油煙浄化装置。
【請求項２】
前記排出管は、内部に固定フレームを設けてなり、該固定フレームは排出管の内壁に固定され、外側に突出した複数の桿体と、位置決めリングを具えてなり、該位置決めリングは電熱装置を位置決めすることを特徴とする請求項１に記載の油煙浄化装置。
【請求項３】
前記電熱装置は、ヘッド部と、ネットとを具えてなり、該ネットは複数の貫通孔を形成し、ヘッド部は熱を絶縁する材質からなり、２本の導電柱がネットの両端縁部に穿設するために供することを特徴とする請求項１に記載の油煙浄化装置。
【請求項４】
前記電熱装置は、ヘッド部と、複数のネットとを具えてなり、それぞれのネットは複数の貫通孔を形成し、該ネットとネットとの間は導電柱で互いに連接し、ヘッド部は熱を絶縁する材質からなり、２本の導電柱を穿設するために供し、導電柱の内の１本の他端は１つ目のネットに接続し、もう一方の他端が最も上方に設けられたネットに接続することを特徴とする請求項１に記載の油煙浄化装置。
【請求項５】
前記電熱装置は、複数のリングと、ヘッド部とを具えてなり、該リングは大型リングと、小型リングとを互いに接続して形成し、ヘッド部は２本の導電柱の一端を穿設するために供し、導電柱の内の１本は他端が小型リングに接続し、もう一方の他端は大型リングに接続することを特徴とする請求項１に記載の油煙浄化装置。
【請求項６】
前記電熱装置は、適宜な位置に温度センサーを設け、電熱装置が設定温度を越えると電熱装置の電源を自動的に切ることを特徴とする請求項１に記載の油煙浄化装置。
【請求項７】
前記排出管は、換気扇の排出管とすることを特徴とする請求項１に記載の油煙浄化装置。
【考案の詳細な説明】
【技術分野】
【０００１】
この考案は、油煙浄化装置に関し、特に換気扇、車、オートバイ、工場などから排出される油煙を浄化する油煙浄化装置に関する。
【背景技術】
【０００２】
従来の換気扇は、キッチンなどで発生した油煙を外へ排出する以外、人が油煙を吸収し、呼吸器系の病気になることを防ぐ。長期間、油煙を吸い込むことはたばこの副流煙よりも毒性が強く、肺がんになる可能性が高い。ラード、ピーナッツ油、菜種油に関わらず、２００℃以上の高温で揚げ物を行った場合に揮発する油煙は、突然変化する性質を具え、芳香族アミン類及び窒素プロトアクチニウムハッシウムなどの発がん性物質を含む。長期間、高熱の油煙を吸い込む環境で換気扇を使用しない主婦が肺がんにかかる可能性は、他の主婦の８倍に達する。また、女性の調理師は肺がんにかかる確率が高く、油煙に含まれる芳香族アミン類などの発がん性物質の顆粒は小さいもので０．０１ミクロメートルに達するため、防ぐことができない。
【０００３】
大都市では、近隣の家との距離が接近しているため、自宅の換気口が隣の家の窓の位置に設けられている場合がある。このため、自宅の油煙は外へ排出できるが、近隣の住宅の空気に影響を与え、近隣の住民及び環境が汚染される。また、レストランの調理場から排出される油煙は量が多いため、業者が排出した油煙が排水溝を通ると、一部が水に溶け、その他が空気中に放出される。よって、長期間、油煙が排水溝を通過すると排水溝の周辺が汚れ、油が付着し、不快感を与える。
【０００４】
都市の車やオートバイが排出する排気ガスも空気汚染の原因になる。最近改良された車やオートバイは、排出する排気ガスを最低レベルに抑えることができる。しかし、多くのトラックなどが排出する大量の排気ガスは空気の質に影響を与える。さらに、工場が排出する油煙は比較的コストの高い油煙浄化装置を必要とする他、価格が高く、組み立てが簡単で、効率のよい油煙浄化装置が必要である。
【考案の開示】
【考案が解決しようとする課題】
【０００５】
この考案は、油煙を高温で気化して、油煙の量を抑えることができるとともに、適宜な高温になると安全装置が働き換気扇に影響を与えずどのような機種の換気扇とも組み合わせて使用することができる油煙浄化装置を提供することを課題とする。
【０００６】
また、この考案は、車、オートバイ、もしくは工場でも使用することができる油煙浄化装置を提供することを課題とする。
【課題を解決するための手段】
【０００７】
そこで、本考案の考案者は従来の技術に見られる欠点に鑑みて鋭意研究を重ねた結果、換気扇の外部に設けられる排出管の内部に設けられ、排出管の内部に少なくとも１組以上の電熱装置を設けてなり、換気扇が排出する油煙が電熱装置を通過すると、瞬間的に燃焼、気化されて汚染を少なくすることができる構造からなる。
【０００８】
以下、この考案について具体的に説明する。
請求項１に記載する換気扇の外部に設けられる排出管の内部に設けられ、排出管の内部に少なくとも１組以上の電熱装置を設けてなり、換気扇が排出する油煙が電熱装置を通過すると、瞬間的に燃焼、気化されて汚染を少なくすることができる構造からなる。
【０００９】
請求項２に記載の油煙浄化装置は、請求項１における排出管が、内部に固定フレームを設けてなり、該固定フレームは排出管の内壁に固定され、外側に突出した複数の桿体と、位置決めリングを具えてなり、該位置決めリングは電熱装置を位置決めする。
【００１０】
請求項３に記載の油煙浄化装置は、請求項１における電熱装置が、ヘッド部と、ネットとを具えてなり、該ネットは複数の貫通孔を形成し、ヘッド部は熱を絶縁する材質からなり、２本の導電柱がネットの両端縁部に穿設するために供する。
【００１１】
請求項４に記載の油煙浄化装置は、請求項１における電熱装置が、ヘッド部と、複数のネットとを具えてなり、それぞれのネットは複数の貫通孔を形成し、該ネットとネットとの間は導電柱で互いに連接し、ヘッド部は熱を絶縁する材質からなり、２本の導電柱を穿設するために供し、導電柱の内の１本の他端は１つ目のネットに接続し、もう一方の他端が最も上方に設けられたネットに接続する。
【００１２】
請求項５に記載の油煙浄化装置は、請求項１における電熱装置が、複数のリングと、ヘッド部とを具えてなり、該リングは大型リングと、小型リングとを互いに接続して形成し、ヘッド部は２本の導電柱の一端を穿設するために供し、導電柱の内の１本は他端が小型リングに接続し、もう一方の他端は大型リングに接続する。
【００１３】
請求項６に記載の油煙浄化装置は、請求項１における電熱装置が、適宜な位置に温度センサーを設け、電熱装置が設定温度を越えると電熱装置の電源を自動的に切る。
【００１４】
請求項７に記載の油煙浄化装置は、請求項１における排出管が、換気扇の排出管とする。
【考案の効果】
【００１５】
この考案の油煙浄化装置は、油煙を燃焼、気化させるため、汚染を抑えることができるとともに、電熱管が設定温度に達すると安全装置が働いて自動的に電源を切り替えることができるため、実用的である効果を有する。
【００１６】
また、この考案は、どのような換気扇にでも取り付けることができるため、家庭、レストランなど、少量、大量に油煙を発生する場所などどこでも利用することができる効果を有する。
【考案を実施するための最良の形態】
【００１７】
この考案は、油煙を高温で気化して、油煙の量を抑えることができるとともに、適宜な高温になると安全装置が働き換気扇に影響を与えずどのような機種の換気扇とも組み合わせて使用することができ、車、オートバイ、もしくは工場でも使用することができる油煙浄化装置を提供するものであって、換気扇の外部に設けられる排出管の内部に設けられ、排出管の内部に少なくとも１組以上の電熱装置を設けてなり、換気扇が排出する油煙が電熱装置を通過すると、瞬間的に燃焼、気化されて汚染を少なくすることができる。
かかる油煙浄化装置の構造と特徴を詳述するために具体的な実施例を挙げ、図示を参照にして以下に説明する。
【実施例】
【００１８】
図１、２、３に、この考案の油煙浄化装置の実施例を開示する。図面によれば、換気扇１０（もしくは車、オートバイ、工場の一部などで油煙を放出する場所）は、外側に排出管１１を具えてなり、該換気扇１０が抽出した油煙は排出管１１を通して外側に排出される。該排出管１１は、内部に1組の高温の電熱装置２０と、固定フレーム１２を設けてなる。該固定フレーム１２は、外側に突出した複数の桿体１２１と、位置決めリング１２２とを具えてなる。該複数の桿体１２１は端縁部が排出管１１の内壁に固定される。該位置決めリング１２２は、電熱装置２０を固定するために供す。該電熱装置２０は一側面にヘッド部２１と、該ヘッド部２１に対向する側面にネット２２を設けてなる。該ヘッド部２１は、熱を絶縁する材質（陶磁器など）からなり、位置決めリング１２２は、電熱装置２０のヘッド部２１を嵌設する。該ヘッド部２１は、２本の導電コード２３の一端が穿設し、他端がそれぞれネット２２の両端に接続する。該ネット２２は、電気めっき鉄からなり、複数の貫通孔２２１を形成し、約５００℃以上の熱を発生する。該電熱装置２０は、適宜な位置に温度センサー２４を設けてなり、電熱装置２０の温度が設定温度以上になると、自動的に電熱装置２０の電源が切られる。
【００１９】
前述の構造からなる油煙浄化装置は、中量の油煙が発生する場所での利用に適している。作動すると換気扇１０から排出された油煙が排出管１１に入り、高温の電熱装置２０に接触する。該電熱装置２０のネット２２は高温を発生するため、油煙がネット２２に接近もしくは接触すると、油煙が燃焼して気化し、貫通孔２２１を通して排出される。該貫通孔２２１から排出された気体は浄化されているため、汚染を少なくすることができる。この実施例は家庭で使用する換気扇１０の中程度の量の油煙を排出する場合に使用している。
【００２０】
該電熱装置２０は設定温度を超えると、温度センサー２４が温度を感知した後、一時的に電源を切る。一方、温度が下がり過ぎると、自動的に電熱装置２０の電源が入るため、電力を節約するとともに、安全である。
【００２１】
図４に、この考案の油煙浄化装置の他の実施例を開示する。図面によれば、該電熱装置３０は、図１と同様に換気扇１０の外側に設けられる排出管１１の内部に嵌設する。該排出管１１の内部に設ける固定フレーム１２は、前述の実施例と同様に外側に突出した複数の桿体１２１と、位置決めリング１２２などとを具えてなる。該電熱装置３０は、ヘッド部３１と、電気めっき鉄から形成する複数のネット３２からなる。該ヘッド部３１は、熱を絶縁する材質からなり、２本の導電コード３３、３４の一端が接続する。それぞれのネット３２は複数の貫通孔３２１を形成し、ネット３２と、ネット３２との間は導電コード３５で互いに接続される。導電コード３３は他端が１つ目のネット３２に接続し、導電コード３４は他端が最も上方に設けられたネット３２に接続する。また、電熱装置３０は、適宜な位置に温度センサー３６を設けてなる。
【００２２】
この実施例の換気扇１０は、レストラン、もしくは大量に油煙を発生する場所で使用する場合に適している。換気扇１０が作動すると、油煙が換気扇１０から吸収されて電熱装置３０を通過、接触する。該電熱装置３０はネット３２が高温になるため、最も下方に位置するネット３２が油煙を瞬間的に燃焼して気化させた後、油煙が貫通孔３２１を通過して下から２番目に設けられたネット３２に達すると再度、燃焼、気化される。よって、最も上方に設けられたネット３２に油煙が達すると、オイルなどの成分がほとんどない気体になって排出されるため、空気を汚染することがなく、大量に、有効に油煙を浄化することができる。
【００２３】
図５に、この考案のその他の実施例を開示する。図面によれば、該電熱装置４０は、図１と同様に換気扇１０の外側に設けられた排出管１１の内部に設けられる。該排出管１１は図１と同様に内部に固定フレーム１２を設けてなる。該固定フレーム１２は、外側に突出した複数の桿体１２１と、位置決めリング１２２とを具えてなる。該電熱装置４０は、複数の大型リング４１、複数の小型リング４２、ヘッド部４３などを具えてなる。該大型リング４１と、小型リング４２は、電気めっき鉄から形成し、ヘッド部４３は、熱を絶縁する材質から形成する。該大型リング４１は、小型リング４２の外側を環状に取り巻くように形成する。該大型リング４１は一端が導電コード４１１としてヘッド部４３に穿設して位置決めされ、小型リング４２は一端が導電コード４２１になり、ヘッド部４３に位置決めされる。また、大型リング４１と小型リング４２の他端は互いに連接する。該電熱装置４０は適宜な位置に温度センサー４４を具えてなる。
【００２４】
この実施例は通常蒸し煮に使用し、揚げ物や炒め物など調理することが少なく発生する油煙が少ない厨房での使用に適している。この実施例の油煙浄化装置は、作動すると、油煙が吸収されて排出管１１を通過して後、電熱装置４０に接触する。該電熱装置４０の大型リング４１、小型リング４２が高温になるため、油煙が大型リング４１、小型リング４２に接近するか、もしくは接触すると瞬間的に燃焼して気化される。よって、排出される気体はオイルなどの成分が少ないため、汚染が少なくなる。
【００２５】
この考案の電熱装置２０、３０、４０はいずれも、どのような形式の換気扇にも設けることができる。即ち、換気扇１０の排出管を取り外し、もしくは組み合わせれば、電熱装置２０、３０、４０の排出管１１で油煙を浄化することができる。
【００２６】
また、この考案は、車、オートバイ、トラック、工場などで利用することができ、換気扇に排出管を設けるだけで油煙を浄化することができるだけでなく、排出する油煙の濃度を大幅に低下させることができる。
【００２７】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案請求の範囲に属するものとする。
【図面の簡単な説明】
【００２８】
【図１】この考案の油煙浄化装置の外観を示した斜視図である。
【図２】図１に開示する油煙浄化装置の排出管の実施例を示した分解図である。
【図３】図２に開示する油煙浄化装置を示した断面図である。
【図４】この考案の油煙浄化装置の他の実施例を示した断面図である。
【図５】この考案の油煙浄化装置のその他の実施例を示した説明図である。
【符号の説明】
【００２９】
１０        換気扇
１１        排出管
１２        固定フレーム
１２１      桿体
１２２      位置決めリング
２０        電熱装置
２１        ヘッド部
２２        ネット
２２１      貫通孔
２３        導電コード
２４        温度センサー
３０        電熱装置
３１        ヘッド部
３２        ネット
３２１      貫通孔
３３        導電コード
３４        導電コード
３５        導電コード
３６        温度センサー
４０        電熱装置
４１        大型リング
４１１      導電コード
４２        小型リング
４２１      導電コード
４３        ヘッド部
４４        温度センサー
【図１】
0003121207.tif 000003
【図２】
0003121207.tif 000004
【図３】
0003121207.tif 000005
【図４】
0003121207.tif 000006
【図５】
0003121207.tif 000007